(57)【要約】【課題】金具が大型化せずに、所定角度毎の仰角を精度良く設定すること。【解決手段】アンテナ１を上下２箇所のうちいずれか一方の位置で支持すると共に、アンテナ１の仰角を所定角度の１度ずつ調整し取付けるため１度毎の複数の角度設定ボルト孔２１ａ〜２１ｒが重ならないように形成された調整部金具２と、アンテナ１を上下２箇所のうち他方の位置でアンテナ１を回転可能に支持すると共に、連結ボルト孔３１ａが形成された回転部金具３と、支柱の上下２箇所にそれぞれ取り付けられると共に、調整部金具２と回転部金具３とにアンテナ１の仰角を所定角度の１度ずつ調整し取付けた際、調整部金具２に形成された複数の角度設定ボルト孔２１ａ〜２１ｒと、回転部金具３に形成された連結ボルト孔３１ａとに出合う位置に、角度合わせボルト孔４１ａ〜４１ｅが形成された２つの基部金具４とを有する。【選択図】図１
2011078053.tif 000002
【特許請求の範囲】
【請求項１】
電柱等の支柱における所定間隔を空けた上下２箇所の少なくとも一方に上側金具または下側金具として設けられ、前記支柱に対しアンテナの仰角を所定角度ずつ調整し取付けるアンテナ用チルト金具であって、
調整部金具と、基部金具と、からなり、
前記調整部金具には、
前記アンテナの仰角を所定角度ずつ調整し取付けるため前記所定角度毎の複数の角度設定ボルト孔が斜め方向に配列され、かつ、当該斜め方向に隣接する前記角度設定ボルト孔間の仰角調整方向の中心間距離が当該角度設定ボルト孔の直径より小さく形成されている一方、
前記基部金具には、
前記調整部金具に連結された際、前記調整部金具に形成された前記複数の角度設定ボルト孔に出合うように前記仰角調整方向に対しほぼ直角方向に配列された複数の角度合わせボルト孔が形成されている、
アンテナ用チルト金具。
【請求項２】
請求項１記載のアンテナ用チルト金具において、
前記調整部金具には、
前記所定角度毎の複数の角度設定ボルト孔が斜め方向に、かつ、並列に複数列配列されている、アンテナ用チルト金具。
【請求項３】
請求項１または請求項２記載のアンテナ用チルト金具において、
さらに、
前記基部金具に形成された複数の角度合わせボルト孔うちのいずれか一の角度合わせボルト孔に出合う位置に連結ボルト孔が形成されている一方、前記支柱または前記アンテナに回転可能に取り付けるための取付け孔が形成された回転部金具、
を有するアンテナ用チルト金具。
【請求項４】
請求項３載のアンテナ用チルト金具において、
前記調整部金具と前記基部金具の組を前記上側金具または前記下側金具として使用する一方、
前記回転部金具と前記基部金具の組を前記下側金具または前記上側金具として使用する、アンテナ用チルト金具。
【発明の詳細な説明】
【技術分野】
【０００１】
本発明は、平面アンテナ等のアンテナの仰角を調整して支柱に取付けるアンテナ用チルト金具に関する。
【背景技術】
【０００２】
例えば、アンテナ支持体の上部と下部に所定の間隔をあけて下部支持部材及び上部支持部材を取付け、下部支持部材には回動支持機構を設けて、アンテナの下部側を回動可能に支持する一方、上部支持部材には仰角調整機構を設け、アンテナ上部を支持し、電柱等の支柱に対するアンテナの仰角を調整するようにしたアンテナ用チルト金具がある（例えば、特許文献１参照。）。
【先行技術文献】
【特許文献】
【０００３】
【特許文献１】特開２００２−２２３１０６号公報
【発明の概要】
【発明が解決しようとする課題】
【０００４】
しかし、上記アンテナ用チルト金具では、仰角調整機構がシャフトを挟持する位置を変えることにより、アンテナの仰角を無段階で調整していたため、小さな所定角度毎に仰角を精度良く設定することが困難であると共に、広角度な仰角を設定するには長いシャフトが必要になり、金具が大型化する、という課題もある。
【０００５】
そこで、本発明は、金具が大型化せずに、所定角度毎の仰角を精度良く設定することができる、アンテナ用チルト金具を提供することを目的とする。
【課題を解決するための手段】
【０００６】
上記課題を解決するため、本発明に係るアンテナ用チルト金具は、電柱等の支柱における所定間隔を空けた上下２箇所の少なくとも一方に上側金具または下側金具として設けられ、前記支柱に対しアンテナの仰角を所定角度ずつ調整し取付けるアンテナ用チルト金具であって、調整部金具と、基部金具と、からなり、前記調整部金具には、前記アンテナの仰角を所定角度ずつ調整し取付けるため前記所定角度毎の複数の角度設定ボルト孔が斜め方向に配列され、かつ、当該斜め方向に隣接する前記角度設定ボルト孔間の仰角調整方向の中心間距離が当該角度設定ボルト孔の直径より小さく形成されている一方、前記基部金具には、前記調整部金具に連結された際、前記調整部金具に形成された前記複数の角度設定ボルト孔に出合うように前記仰角調整方向に対しほぼ直角方向に配列された複数の角度合わせボルト孔が形成されている、アンテナ用チルト金具である。
ここで、前記調整部金具には、前記所定角度毎の複数の角度設定ボルト孔が斜め方向に、かつ、並列に複数列配列されている、アンテナ用チルト金具であることが望ましい。
また、さらに、前記基部金具に形成された複数の角度合わせボルト孔うちのいずれか一の角度合わせボルト孔に出合う位置に連結ボルト孔が形成されている一方、前記支柱または前記アンテナに回転可能に取り付けるための取付け孔が形成された回転部金具、を有するアンテナ用チルト金具であることが望ましい。
さらに、前記調整部金具と前記基部金具の組を前記上側金具または前記下側金具として使用する一方、前記回転部金具と前記基部金具の組を前記下側金具または前記上側金具として使用する、アンテナ用チルト金具であることが望ましい。
【発明の効果】
【０００７】
本発明に係るアンテナ用チルト金具は、電柱等の支柱における所定間隔を空けた上下２箇所の少なくとも一方に上側金具または下側金具として設けられ、前記支柱に対しアンテナの仰角を所定角度ずつ調整し取付けるアンテナ用チルト金具であって、調整部金具と、基部金具と、からなり、前記調整部金具には、前記アンテナの仰角を所定角度ずつ調整し取付けるため前記所定角度毎の複数の角度設定ボルト孔が斜め方向に配列され、かつ、当該斜め方向に隣接する前記角度設定ボルト孔間の仰角調整方向の中心間距離が当該角度設定ボルト孔の直径より小さく形成されている一方、前記基部金具には、前記調整部金具に連結された際、前記調整部金具に形成された前記複数の角度設定ボルト孔に出合うように前記仰角調整方向に対しほぼ直角方向に配列された複数の角度合わせボルト孔が形成されているので、所定角度毎の仰角を小さな角度毎に精度良く設定することができる。
【図面の簡単な説明】
【０００８】
【図１】（ａ），（ｂ）それぞれ本発明に係るアンテナ用チルト金具の実施形態の使用態様の一例を示す全体図である。
【図２】（ａ）〜（ｄ）それぞれ実施形態の調整部金具の一例を示す図である。
【図３】本実施形態の調整部金具の上面に形成された複数の角度設定ボルト孔間の関係を詳細に示す図である。
【図４】（ａ）〜（ｄ）それぞれ実施形態の回転部金具の一例を示す図である。
【図５】（ａ）〜（ｄ）それぞれ実施形態の基部金具の一例を示す図である。
【図６】（ａ）〜（ｄ）それぞれ実施形態のＭ座の一例を示す図である。
【図７】（ａ）〜（ｃ）それぞれ実施形態の金具等を組み付けた状態の一例を示す図である。
【図８】（ａ）〜（ｅ）それぞれ実施形態の調整部金具と基部金具との連結位置によりアンテナ１の仰角設定状態の一例を示す図である。
【図９】実施形態の調整部金具における角度設定ボルト孔と、基部金具の角度合わせボルト孔の他の一例を示す図である。
【図１０】実施形態の調整部金具における角度設定ボルト孔と、基部金具の角度合わせボルト孔のさらに他の一例を示す図である。
【発明を実施するための形態】
【０００９】
以下、本発明に係るアンテナ用チルト金具の実施形態について説明する。
実施形態．
【００１０】
図１（ａ），（ｂ）は、それぞれ本発明に係るアンテナ用チルト金具の実施形態の使用態様の一例を示す全体図である。
【００１１】
図１（ａ），（ｂ）に示すように、本発明に係るアンテナ用チルト金具を上部金具Ｕおよび下部金具Ｄとして用いて、平面アンテナ等のアンテナ１裏面の左右上下２箇所のアンテナ取付け部１１ａ，１１ｂ、１２ａ，１２ｂに取り付けている。
【００１２】
ここで、図１（ａ）は、アンテナ１側に上部金具Ｕとしてアンテナ１の仰角を調整する調整部金具２を設ける一方、下部金具Ｄとして仰角調整の回転中心となる回転部金具３を設けた場合を示しており、図１（ｂ）は、これとは逆に、アンテナ１側に上部金具Ｕとして仰角調整の回転中心となる回転部金具３を設ける一方、下部金具Ｄとしてアンテナ１の角度を調整する調整部金具２を設けた場合を示している。つまり、図１（ａ），（ｂ）では、上下のアンテナ支持箇所で、調整部金具２と、回転部金具３とを入れ替えている。
【００１３】
そして、図１（ａ），（ｂ）の場合、共に、電柱等の支柱側には、調整部金具２および回転部金具３と連結される同一の基部金具４が設けられている。
【００１４】
したがって、上部金具Ｕおよび下部金具Ｄ側として支柱側には、同一の基部金具４が使用できるので、この点で、従来の場合より部品点数を削減することができる。
【００１５】
なお、基部金具４と、図示しない支柱との間には、Ｍ座５と、バンド６とが設けられており、これらにより、支柱に固定される。
【００１６】
また、本実施形態では、アンテナ１として、平面アンテナを使用しているが、これに限るものではない。
【００１７】
図２（ａ）〜（ｄ）は、それぞれ図１に示す実施形態の調整部金具２の一例を示す図である。
【００１８】
具体的には、図２（ａ）は、調整部金具２の外観を示す斜視図、同（ｂ）は、調整部金具２の平面図、同（ｃ）は、同（ｂ）調整部金具２の左側面図、同（ｄ）は、調整部金具２の後面図である。なお、調整部金具２を右側面と、調整部金具２を前面図は、それぞれ、図２（ｃ），（ｄ）と同じであるので、省略する。
【００１９】
図２から明らかなように、調整部金具２は、断面コ字状の金具であり、上面２１と、両側面２２ａ、２２ｂとを有しており、基部金具４と連結する。
【００２０】
調整部金具２の上面２１には、アンテナ１の仰角を０度〜２０度の範囲で設定するため、複数（ここでは、２０個とする。）の角度設定ボルト孔２１ａ〜２１ｕが、０度〜２０度の間、１度毎にそれぞれに対応して、図上Ａ方向の斜め方向に配列し、かつ、当該斜め方向に隣接する角度設定ボルト孔２１ａ〜２１ｕ間の図上Ｂ方向の仰角調整方向の中心間距離が当該角度設定ボルト孔の直径より小さく形成されている。
【００２１】
具体的には、角度設定ボルト孔２１ａが０度、角度設定ボルト孔２１ｂが１度、角度設定ボルト孔２１ｃが２度、・・・、角度設定ボルト孔２１ｓが１８度、角度設定ボルト孔２１ｔが１９度、角度設定ボルト孔２１ｕが２０度、というように図上Ａ方向に５列配列して形成されている。なお、角度設定ボルト孔２１ａ〜２１ｕの所定角度の１度毎は、一例であり、０．５度でも、あるいは２度、３度でも勿論良い。また、０度〜２０度の範囲も一例であり、０度〜１０度でも、０度〜３０度、０度〜４０度の範囲でも勿論よい。
【００２２】
そして、本実施形態では、調整部金具２の上面２１の後端（図上右側端）から、最初の０度の角度設定ボルト孔２１ａまでの距離Ｍと、回転部金具３の上面３１の後端から回転部金具３の上面３１に形成された連結ボルト孔３１ａまでの距離Ｎ（図４参照）とは、同一にしている。これにより、上下２箇所のいずれか一方の位置で、調整部金具２がその角度設定ボルト孔２１ａにより基部金具４と連結し、かつ、他方の位置で、回転部金具３がその連結ボルト孔３１ａまで基部金具４と連結した場合には、支柱に対するアンテナ１の仰角は、０度になる。
【００２３】
そして、調整部金具２の両側面２２ａ，２２ｂには、後述する基部金具４側面の脱落防止ボルト孔と孔同士が出合い、脱落防止用ボルトが止められる図上水平方向の長孔である脱落防止ボルト長孔２２ａ１、２２ｂ１が形成されていると共に、アンテナ１裏面の上下２箇所に調整部金具２および回転部金具３の幅に合わせて設けられた左右のアンテナ取付け部１１ａ，１１ｂ（又は１２ａ，１２ｂ）の連結ボルト孔（図示せず）に出合う、図上垂直方向の長孔である垂直ボルト長孔２２ａ，２２ｂ２が形成されている
【００２４】
図３は、本実施形態の調整部金具２の上面２１に形成された複数の角度設定ボルト孔２１ａ〜２１ｕ間の関係を詳細に示す図である。
【００２５】
図３に示すように、本実施形態では、角度設定ボルト孔２１ａ〜２１ｕの直径は、約３．５±０．５ｍｍとしており、角度設定ボルト孔２１ａ〜２１ｕを下側金具Ｄと上側金具Ｕとの間の距離（ここでは、例えば約３００ｍｍとする。）を回転半径Ｌとする円周上に所定角度である１度ずつずらして、調整部金具２の上面２１に形成している。
【００２６】
その際、本実施形態では、調整部金具２の上面２１に、回転半径Ｌの円周上に０度〜２０度の範囲で１度ずつずらして図上Ｂ方向の仰角調整方向に並べると、角度設定ボルト孔２１ａ〜２１ｕの孔同士が重複し繋がってしまうので、図３や、図２（ａ），（ｂ）等に示すように、図上Ａ方向の斜め方向にずらして、角度設定ボルト孔２１ａ〜２１ｕの孔同士が重ならないように一列最大５個で、５列設けている。
【００２７】
図４（ａ）〜（ｄ）は、それぞれ図１に示す実施形態の回転部金具３の一例を示す図である。
【００２８】
具体的には、図４（ａ）は、回転部金具３の外観を示す斜視図、同（ｂ）は、回転部金具３の平面図、同（ｃ）は、回転部金具３の右側面図、同（ｄ）は、回転部金具３の後面図である。なお、調整部金具２の左側面図と、調整部金具２の前面図は、それぞれ、図４（ｃ），（ｄ）と同じであるので、省略する。
【００２９】
図４から明らかなように、回転部金具３は、調整部金具２と同様に、断面コ字状の金具であり、上面３１と、両側面３２ａ，３２ｂとを有しており、基部金具４と連結する。
【００３０】
回転部金具３の上面２１には、図４（ａ），（ｂ）に示すように、後述する基部金具４の上面に形成された後述する５個の角度合わせボルト孔４１ａ〜４１ｅのうちの、例えば、中央の角度合わせボルト孔４１ｃと出合う位置に連結ボルト孔３１ａが形成されている。
【００３１】
そして，回転部金具３の両側面３２ａ，３２ｂには、アンテナ１裏面の上下２箇所に調整部金具２および回転部金具３の幅に合わせて設けられた左右のアンテナ取付け部１１ａ，１１ｂ（又は１２ａ，１２ｂ）の連結ボルト孔（図示せず）に出合う連結ボルト孔３２ａ１，３２ｂ１が形成されている一方、基部金具４側面の脱落防止ボルト孔と孔同士が出合い、脱落防止用ボルトが止められる脱落防止ボルト孔３２ａ２，３２ｂ２が形成されている。なお、連結ボルト孔３２ａ１，３２ｂ１が、アンテナ１の仰角を調整する際の回転中心となる。
【００３２】
図５（ａ）〜（ｄ）は、それぞれ図１に示す実施形態の基部金具４の一例を示す図である。
【００３３】
具体的には、図５（ａ）は、基部金具４の外観を示す斜視図、同（ｂ）は、基部金具４の平面図、同（ｃ）は、基部金具４の右側面図、同（ｄ）は、基部金具４の後面図である。なお、調整部金具２の左側面図と、調整部金具２の前面図は、それぞれ、図５（ｃ），（ｄ）と同じであるので、省略する。
【００３４】
図５から明らかなように、基部金具４は、調整部金具２と同様に、断面コ字状の金具であり、上面４１と、両側面４２ａ，４２ｂとを有しており、調整部金具２および回転部金具３と連結する。
【００３５】
基部金具４の上面２１には、図５（ａ），（ｂ）に示すように、調整部金具２の上面２１に形成された２０個の角度設定ボルト孔２１ａ〜２１ｕと、図上Ｂ方向の仰角調整方向に対し垂直方向である図上Ｃ方向の位置が同じで、かつ、アンテナ１の仰角を調整するため、基部金具４を調整部金具２に対し相対的に、図上Ｂ方向の仰角調整方向に移動させた場合、角度設定ボルト孔２１ａ〜２１ｕと孔同士が出合うように、図上Ｃ方向、すなわち仰角調整方向である図上Ｂ方向とは垂直方向に一列に配列された５個の角度合わせボルト孔４１ａ〜４１ｅが形成されている。
【００３６】
つまり、調整部金具２の上面２１に形成された例えば、角度設定ボルト孔２１ｄ，２１ｉ、２１ｎ、２１ｓは、角度合わせボルト孔４１ａと出合い、角度設定ボルト孔２１ｅ，２１ｊ、２１ｏ、２１ｔは、角度合わせボルト孔４１ｂと出合い、角度設定ボルト孔２１ａ、２１ｆ，２１ｋ、２１ｐ、２１ｕは、角度合わせボルト孔４１ｃと出合い，角度設定ボルト孔２１ｂ，２１ｇ，２１ｌ、２１ｑは、角度合わせボルト孔４１ｄと出合い、角度設定ボルト孔２１ｃ，２１ｊ、２１ｏ、２１ｒは、角度合わせボルト孔４１ｅと出合うことになる。
【００３７】
また、基部金具４の上面２１には、重量削減のため、ほぼ長方形状の開口部４１ｆが形成されている。
【００３８】
そして基部金具４の両側面４２ａ，４２ｂには、調整部金具２の両側面２２ａ，２２ｂに形成された脱落防止ボルト長孔２２ａ１，２２ｂ１と出合う位置に、脱落防止ボルト孔４２ａ１，４２ｂ１が形成されていると共に、Ｍ座５の左右側面に設けられた上下２つの連結ボルト孔５２ａ１，５２ａ２、５２ｂ１，５２ｂ２に出合う位置に、連結ボルト孔４２ａ２，４２ａ３、４２ｂ２，４２ｂ３が形成されている。
【００３９】
図６（ａ）〜（ｄ）は、それぞれ図１に示す実施形態のＭ座５の一例を示す図である。
【００４０】
具体的には、図６（ａ）は、Ｍ座５の外観を示す斜視図、同（ｂ）は、Ｍ座５の平面図、同（ｃ）は、Ｍ座５の正面図、同（ｄ）は、Ｍ座５の右側面図である。なお、Ｍ座５の裏面図と、Ｍ座５の左側面図は、それぞれ、図６（ｃ），（ｄ）と同じであるので、省略する。
【００４１】
図６から明らかなように、Ｍ座５は、電柱等の支柱に接触して、バンド６により支柱に取り付けられる金具であり、上面５１と、両側面５２ａ，５２ｂとを有しており、基部金具４と連結する。
【００４２】
Ｍ座５の上面２１には、図６（ａ），（ｂ）に示すように、バンド６を通すためのバンド挿通部５１ａ，５１ｂが形成されている。
【００４３】
また、Ｍ座５の両側面５２ａ，５２ｂには、基部金具４と連結するために、基部金具４両側面４２ａ，４２ｂに形成された連結ボルト孔４２ａ２，４２ａ３、４２ｂ２，４２ｂ３と出合う位置に、連結ボルト孔５２ａ１，５２ａ２、５２ｂ１，５２ｂ２が形成されている。
【００４４】
図７（ａ）〜（ｃ）は、それぞ本実施形態の金具等を組み付けた状態の一例を示す図である。
【００４５】
具体的には、図７（ａ）は、実施形態の金具等を組み付けた状態を上方から見た平面図、同（ｂ）は、実施形態の金具等を組み付けた状態の右側面図、同（ｃ）は、実施形態の金具等を組み付けた状態の正面図である。
【００４６】
図７に示すように、支柱７にはバンド６によりＭ座５が固定され、Ｍ座５には、上下取付け位置の双方の位置で、基部金具５が連結されている。つまり、基部金具５は、上部金具Ｕおよび下部金具Ｄの双方として利用されている。
【００４７】
そして図７では、上部金具Ｕとして、基部金具４に回転部金具３が連結され、その回転部金具３にアンテナ取付け部１１ａ，１１ｂを介してアンテナ１の上部が支持されている一方、下部金具Ｄとして、基部金具４に調整部金具２が連結され、その調整部金具２にアンテナ取付け部１２ａ，１２ｂを介してアンテナ１の下部が支持されている。
【００４８】
そして、アンテナ１の仰角は、基部金具４と調整部金具２との連結位置、すなわち基部金具４の上面４１に形成された５個の角度合わせボルト孔４１ａ〜４１ｅと、調整部金具２の上面２１に形成された２０個の角度設定ボルト孔２１ａ〜２１ｕとの連結位置によって、０度〜２０度の範囲で設定される。
【００４９】
図８（ａ）〜（ｃ）は、それぞれ実施形態の調整部金具２と基部金具４との連結位置によりアンテナ１の仰角設定状態の一例を示す図である。
【００５０】
具体的には、図８（ａ）は、調整部金具２の角度設定ボルト孔２１ａと、基部金具４の角度合わせボルト孔４１ｃとが連結ボルト８により連結され、アンテナ１の仰角を０度に設定した一例を示している。
【００５１】
また、図８（ｂ）は、調整部金具２の角度設定ボルト孔２１ｇと、基部金具４の角度合わせボルト孔４１ｄとが連結ボルト８により連結され、アンテナ１の仰角を±６度に設定した一例を示している。
【００５２】
また、図８（ｃ）は、調整部金具２の角度設定ボルト孔２１ｍと、基部金具４の角度合わせボルト孔４１ｅとが連結ボルト８により連結され、アンテナ１の仰角を±１２度に設定した一例を示している。
【００５３】
さらに、図８（ｄ）は、調整部金具２の角度設定ボルト孔２１ｎと、基部金具４の角度合わせボルト孔４１ａとが連結ボルト８により連結され、アンテナ１の仰角を±１３度に設定した一例を示している。
【００５４】
さらに、図８（ｅ）は、調整部金具２の角度設定ボルト孔２１ｔと、基部金具４の角度合わせボルト孔４１ｂとが連結ボルト８により連結され、アンテナ１の仰角を±１９度に設定した一例を示している。
【００５５】
このようにして、調整部金具２の角度設定ボルト孔２１ａ〜２１ｕと、基部金具４の角度合わせボルト孔４１ａ〜４１ｅとに連結ボルトが挿入されて、アンテナ１の仰角が０度〜±２０度まで設定されることになる。
【００５６】
つまり、本実施形態では、図１（ａ）に示すように、調整部金具２を上部金具Ｕの方に用いれば、支柱に対するアンテナ１の仰角を０度〜＋（下向き）２０度まで設定可能な一方、図１（ｂ）に示すように、調整部金具２を下部金具Ｄの方に用いれば、支柱に対するアンテナ１の仰角を０度〜−（上向き）２０度まで設定可能となる。
【００５７】
なお、図１（ａ）では、調整部金具２の角度設定ボルト孔２１ｕと基部金具４の角度合わせボルト孔４１ｃとが連結され、支柱に対するアンテナ１の仰角が＋（下向き）２０度に設定された一例を示している一方、図１（ｂ）では、調整部金具２の角度設定ボルト孔２１ａと基部金具４の角度合わせボルト孔４１ｃとが連結され、支柱に対するアンテナ１の仰角が０度に設定された一例を示している。
【００５８】
従って、本実施形態のアンテナ用チルト金具は、アンテナ１を上下２箇所のうちいずれか一方の位置で支持すると共に、アンテナ１の仰角を所定角度の１度ずつ調整し取付けるため１度毎の複数の角度設定ボルト孔２１ａ〜２１ｒが重ならないよう斜め方向に形成された調整部金具２と、アンテナ１を上下２箇所のうち他方の位置でアンテナ１を回転可能に支持すると共に、連結ボルト孔３１ａが形成された回転部金具３と、支柱の上下２箇所にそれぞれ取り付けられると共に、調整部金具２と回転部金具３とにアンテナ１の仰角を所定角度の１度ずつ調整し取付けた際、調整部金具２に形成された複数の角度設定ボルト孔２１ａ〜２１ｒと、回転部金具３に形成された連結ボルト孔３１ａとに出合う位置に、角度合わせボルト孔４１ａ〜４１ｅが形成された２つの基部金具４とを有するので、上下２箇所で、基部金具４を共用化することができ、部品点数が増えず、かつ、所定角度毎の仰角を小さな角度毎に精度良く設定することができる。
【００５９】
特に、本実施形態では、複数の角度設定ボルト孔２１ａ〜２１ｒは、所定角度毎に互いに重ならないよう斜め方向に、かつ、並列に複数列並べているので、調整部金具２に複数の角度設定ボルト孔２１ａ〜２１ｒを数多く並べることが可能となり、アンテナ１の仰角を広角度に設定することができる。
【００６０】
なお、上記実施形態の説明では、図２等に示すように、調整部金具２の上面２１に設ける角度設定ボルト孔２１ａ〜２１ｒは、中央上段の角度設定ボルト孔２１ａから始まり、横方向５個で、斜め５列にて説明したが、これは一例であり、本発明では、これに限らず、例えば、図９に示すように、右列上段の角度設定ボルト孔２１ａを０度として横方向に４個で、斜め４列の角度設定ボルト孔２１ａ〜２１ｐでも（この場合、仰角は０度〜１５度の範囲になる。）、図１０に示すように、中央上段の角度設定ボルト孔２１ａを０度として横方向３個で、斜め４列の角度設定ボルト孔２１ａ〜２１ｊでも（この場合、仰角は０度〜９度の範囲になる。）、勿論よい。この場合、基部金具４には、図９の場合、角度合わせボルト孔が、その上面４１横一列に４１ａ〜４１ｄの４個形成される一方、図１０の場合、角度合わせボルト孔が、その上面４１横一列に４１ａ〜４１ｃの３個形成されることになる。
【００６１】
また、上記実施形態の説明では、本発明にかかる調整部金具２と基部金具４の組と、回転部金具３と基部金具４の組をそれぞれ上側金具Ｕおよび下側金具Ｄとして使用する場合について説明したが、本発明では、これに限らず、本発明にかかる調整部金具２と基部金具４の組のみを、上側金具Ｕまたは下側金具Ｄのいずれか一方として使用し、その際、それぞれ対応する下側金具Ｄまたは上側金具Ｕとしては、別の金具を使用しても勿論よい。
【００６２】
また、本実施形態の説明では、アンテナ３側に調整部金具２および回転部金具３を設ける一方、支柱７側に基部金具４を設けて説明したが、本発明では、これに限らず、アンテナ３側に基部金具４を設ける一方、支柱７側に調整部金具２および回転部金具３を設けるようにしても勿論よい。
【符号の説明】
【００６３】
１  アンテナ
２  調整部金具
２１ａ〜２１ｕ  角度設定ボルト孔
３  回転部金具
４  基部金具
４１ａ〜４１ｅ  角度合わせボルト孔
５  Ｍ座
６  バンド
【図１】
2011078053.tif 000003
【図２】
2011078053.tif 000004
【図３】
2011078053.tif 000005
【図４】
2011078053.tif 000006
【図５】
2011078053.tif 000007
【図６】
2011078053.tif 000008
【図７】
2011078053.tif 000009
【図８】
2011078053.tif 000010
【図９】
2011078053.tif 000011
【図１０】
2011078053.tif 000012